(57)【要約】【課題】塵埃等の侵入を抑制することが可能なプロジェクタを提供する。【解決手段】排気ファン５０によって筐体１０の外に排気される排気量が、第１の吸気ファン４０および第２の吸気ファン６０によって筐体１０内に取り入れられる総吸気量を上回ったときに、制御部は、第２の吸気ファン６０の回転速度を上げて吸気量を増やす。これによって、筐体１０内の圧力が低下することを抑制する。【選択図】図３
2008286824.tif 000002
【特許請求の範囲】
【請求項１】
光束を射出する光源と、前記光源から射出された光束を画像信号に応じて変調して画像光を形成する光変調部と、前記画像光を投写する投写光学部と、これらを収納する筐体とを備えたプロジェクタであって、
前記筐体内の温度を検出する検出部と、
外気を前記筐体内に吸気する第１および第２の吸気ファンと、
前記筐体内の空気を該筐体の外に排気する排気ファンと、
前記検出部の検出結果に基づいて、前記第１の吸気ファンおよび前記排気ファンの回転速度を制御する制御部と、
を備え、
前記制御部は、前記排気ファンの排気量と、前記第１および前記第２の吸気ファンの総吸気量とを比較し、前記排気量が前記総吸気量を上回る場合に、前記第２の吸気ファンの回転速度を上げて吸気量を増やすことを特徴とするプロジェクタ。
【請求項２】
光束を射出する光源と、前記光源から射出された光束を画像信号に応じて変調して画像光を形成する光変調部と、前記画像光を投写する投写光学部と、これらを収納する筐体とを備えたプロジェクタであって、
前記筐体内の温度を検出する検出部と、
外気を前記筐体内に吸気する第１および第２の吸気ファンと、
前記筐体内の空気を該筐体の外に排気する排気ファンと、
前記検出部の検出結果に基づいて、前記第１の吸気ファンおよび前記排気ファンの回転速度を制御する制御部と、
を備え、
前記制御部は、前記排気ファンの排気量から前記第１および前記第２の吸気ファンの総吸気量を減じた値が、予め設定された値よりも大きい場合に、前記第２の吸気ファンの回転速度を上げて吸気量を増やすことを特徴とするプロジェクタ。
【請求項３】
請求項１または２に記載のプロジェクタであって、
前記制御部は、前記第１および前記第２の吸気ファンと前記排気ファンとの回転速度に基づいて、前記排気量および前記総吸気量を導出することを特徴とするプロジェクタ。
【請求項４】
請求項１〜３のいずれか一項に記載のプロジェクタであって、
前記検出部は、第１および第２の検出部を備え、
前記制御部は、前記第１の検出部の検出結果に基づいて前記第１の吸気ファンの回転速度を制御し、前記第２の検出部の検出結果に基づいて前記排気ファンの回転速度を制御することを特徴とするプロジェクタ。
【請求項５】
請求項１〜４のいずれか一項に記載のプロジェクタであって、
前記筐体には、前記第１の吸気ファンが外気を取り入れるための第１の吸気口が形成され、当該第１の吸気口は、防塵フィルタにより覆われていることを特徴とするプロジェクタ。
【請求項６】
請求項１〜５のいずれか一項に記載のプロジェクタであって、
前記第２の吸気ファンは、吸気した空気によって、前記筐体内を冷却することを特徴とするプロジェクタ。
【請求項７】
請求項５に記載のプロジェクタであって、
前記筐体には、前記第２の吸気ファンが外気を取り入れる第２の吸気口が、前記第１の吸気口とは離隔して形成され、前記第１および前記第２の吸気口は、それぞれ個別の防塵フィルタにより覆われていることを特徴とするプロジェクタ。
【請求項８】
請求項５に記載のプロジェクタであって、
前記筐体には、前記第２の吸気ファンが外気を取り入れる第２の吸気口が、前記第１の吸気口と近接して形成され、前記第１と前記第２の吸気口は、一体の防塵フィルタにより覆われていることを特徴とするプロジェクタ。
【発明の詳細な説明】
【技術分野】
【０００１】
本発明は、光源から射出された光束を変調して画像光を投写するプロジェクタに関する。
【背景技術】
【０００２】
プロジェクタは、光源からの光束を液晶ライトバルブなどの光変調部を用いて変調し、変調された画像光をスクリーン等に投写する光学機器であり、企業内でのプレゼンテーションや、家庭内での映画鑑賞等の種々の用途に用いられている。
光源は、その点灯に伴って、光源自身や光変調部等の内部部品の温度上昇を招き、それらの部品の性能や機能を低下させる。内部部品の温度上昇を抑制するために、多くのプロジェクタには、外気を取り入れて内部部品を冷却する吸気ファン、および筐体内部の温まった空気を筐体外部に排気する排気ファンが備えられている。
内部部品の上昇温度は、使用環境や使用時間等によって変わるため、上昇温度が高くなったときにも内部部品を適正に冷却できるように、吸気ファンおよび排気ファンの回転速度を高く設定できるようにしておく必要がある。しかし、回転速度を上げると回転音による騒音が大きくなるため、吸気ファンおよび排気ファンを個別に制御して、必要以上に回転速度を上げないように、静音化を図ったプロジェクタが提案されている（特許文献１参照）。
【０００３】
【特許文献１】特開２００３−５２８９号公報
【発明の開示】
【発明が解決しようとする課題】
【０００４】
しかしながら、特許文献１に記載のプロジェクタは、吸気ファンと排気ファンとを個別に制御しているため、筐体内に取り入れられる吸気量よりも筐体外に排気される排気量が上回る場合が考えられる。このような場合には、筐体内は、圧力が低下した状態になるため、吸気ファンからの吸気量で不足する量を補うように、吸気口以外の隙間から外気が吸入される。通常、プロジェクタは、吸気口に防塵フィルタが配置されていて、外気中に浮遊する塵埃の侵入を抑制しているが、それ以外の隙間には、塵埃の侵入を防ぐ手段が講じられていない。このため、筐体内の圧力が低下した状態になると、隙間から塵埃を含んだ外気がそのまま筐体内に吸入されてしまう虞がある。この塵埃が光変調部等の光学部品に付着すると、投写画像の画質が劣化するという問題がある。
【０００５】
本発明は、上記課題に鑑みてなされたものであり、その目的は、塵埃等の侵入を抑制することが可能なプロジェクタを提供することにある。
【課題を解決するための手段】
【０００６】
本発明のプロジェクタは、光束を射出する光源と、前記光源から射出された光束を画像信号に応じて変調して画像光を形成する光変調部と、前記画像光を投写する投写光学部と、これらを収納する筐体とを備えたプロジェクタであって、前記筐体内の温度を検出する検出部と、外気を前記筐体内に吸気する第１および第２の吸気ファンと、前記筐体内の空気を該筐体の外に排気する排気ファンと、前記検出部の検出結果に基づいて前記第１の吸気ファンおよび前記排気ファンの回転速度を制御する制御部とを備え、前記制御部は、前記排気ファンの排気量と、前記第１および前記第２の吸気ファンの総吸気量とを比較し、前記排気量が前記総吸気量を上回る場合に、前記第２の吸気ファンの回転速度を上げて吸気量を増やすことを特徴とする。
【０００７】
この構成によれば、排気ファンによって筐体の外に排気される排気量が、第１および第２の吸気ファンによって筐体内に取り入れられる総吸気量を上回る場合に、制御部は、第２の吸気ファンの回転速度を上げて吸気量を増やす。これによって、筐体内の気圧を外部より高くすることが可能となり、筐体の隙間から外気に混在する塵埃が筐体内に侵入することを抑制することができる。よって、投写画像の画質の劣化を抑制することが可能となり、製品の長寿命化を図ることができる。
【０００８】
本発明のプロジェクタは、光束を射出する光源と、前記光源から射出された光束を画像信号に応じて変調して画像光を形成する光変調部と、前記画像光を投写する投写光学部と、これらを収納する筐体とを備えたプロジェクタであって、前記筐体内の温度を検出する検出部と、外気を前記筐体内に吸気する第１および第２の吸気ファンと、前記筐体内の空気を該筐体の外に排気する排気ファンと、前記検出部の検出結果に基づいて前記第１の吸気ファンおよび前記排気ファンの回転速度を制御する制御部とを備え、前記制御部は、前記排気ファンの排気量から前記第１および前記第２の吸気ファンの総吸気量を減じた値が、予め設定された値よりも大きい場合に、前記第２の吸気ファンの回転速度を上げて吸気量を増やすことを特徴とする。
【０００９】
この構成によれば、排気ファンによって筐体の外に排気される排気量から第１および第２の吸気ファンによって筐体内に取り入れられる総吸気量を減じた値が、予め設定された値よりも大きい場合、即ち、排気量が比較的大きい場合に、制御部は、第２の吸気ファンの回転速度を上げて吸気量を増やす。これによって、筐体内の圧力が低下することを抑制することが可能となり、筐体の隙間から外気に混在する塵埃が筐体内に侵入することを抑制することができる。
【００１０】
このプロジェクタにおいて、前記制御部は、前記第１および前記第２の吸気ファンと前記排気ファンとの回転速度に基づいて、前記排気量および前記総吸気量を導出することが望ましい。
【００１１】
この構成によれば、制御部は、各ファンの回転速度に基づいて、排気量および総吸気量を導出するので、新たに風量センサ等を備える必要がない。
【００１２】
このプロジェクタにおいて、前記検出部は、第１および第２の検出部を備え、前記制御部は、前記第１の検出部の検出結果に基づいて前記第１の吸気ファンの回転速度を制御し、前記第２の検出部の検出結果に基づいて前記排気ファンの回転速度を制御することが望ましい。
【００１３】
この構成によれば、第１の検出部の検出結果に基づいて第１の吸気ファンの回転速度を制御し、第２の検出部に基づいて排気ファンの回転速度を制御するので、ファンの制御をより細かく行うことができる。
【００１４】
このプロジェクタにおいて、前記筐体には、前記第１の吸気ファンが外気を取り入れるための第１の吸気口が形成され、当該第１の吸気口は、防塵フィルタにより覆われていることが望ましい。
【００１５】
この構成によれば、第１の吸気ファンが外気を取り入れる第１の吸気口には、防塵フィルタが配置されているので、外気に混在する塵埃の侵入を抑制することができる。
【００１６】
このプロジェクタにおいて、前記第２の吸気ファンは、吸気した空気によって、前記筐体内を冷却することが望ましい。
【００１７】
この構成によれば、第２の吸気ファンは、吸気した空気によって、筐体内の圧力が低下することを抑制すると共に、筐体内を冷却するため、吸気された空気を効率良く利用することができる。
【００１８】
このプロジェクタにおいて、前記筐体には、前記第２の吸気ファンが外気を取り入れる第２の吸気口が、前記第１の吸気口とは離隔して形成され、前記第１および前記第２の吸気口は、それぞれ個別の防塵フィルタにより覆われていてもよい。
【００１９】
この構成によれば、第１の吸気ファンが外気を取り入れる第１の吸気口と、第２の吸気ファンが外気を取り入れる第２の吸気口とは、筐体の離れた位置に形成され、それぞれ個別の防塵フィルタを備えているので、第１および第２の吸気ファンを筐体内に配置する位置の自由度が増える。
【００２０】
このプロジェクタにおいて、前記筐体には、前記第２の吸気ファンが外気を取り入れる第２の吸気口が、前記第１の吸気口と近接して形成され、前記第１と前記第２の吸気口は、一体の防塵フィルタにより覆われていてもよい。
【００２１】
この構成によれば、第１の吸気ファンが外気を取り入れる第１の吸気口と、第２の吸気ファンが外気を取り入れる第２の吸気口とは、筐体の近接した位置に形成されているので、一体の防塵フィルタで、第１と第２の吸気口とを覆うことができる。これによって、第１と第２の吸気口とにそれぞれ防塵フィルタを配置する必要がないので、少ない部品点数でプロジェクタを構成することができる。
【発明を実施するための最良の形態】
【００２２】
以下、本発明の実施形態に係るプロジェクタについて、図面を参照して説明する。
本実施形態のプロジェクタは、光源から射出された光束を画像信号に応じて変調して画像光を形成し、その画像光をスクリーン等に拡大投写するものであり、光源の点灯に伴う温度上昇を抑制するために、筐体内に外気を取り入れて本体を冷却することができるようになっている。
図１および図２は、本実施形態のプロジェクタの外観を示す図であり、図１は、上方前面側から見た斜視図、図２は、下方背面側から見た斜視図である。
【００２３】
図１および図２に示すように、プロジェクタ１は、本体が筐体１０で囲まれた構成を有している。
筐体１０は、合成樹脂製であり、上部分を構成するアッパーケース１１と、下部分を構成するロアーケース１２と、背面部分の一部を構成するリアケース１３とを備えている。これらアッパーケース１１、ロアーケース１２およびリアケース１３は、ネジ等により固定されている。
【００２４】
アッパーケース１１は、上面１１Ａ、前面１１Ｂ、側面１１Ｃ，１１Ｄおよび背面１１Ｅから構成される。
図１に示すように、アッパーケース１１の前面１１Ｂには、略円形状の開口部１５が形成されている。そして、この開口部１５には、画像光を拡大投写する投写レンズ５１０の前面が露出している。上面１１Ａには、開口部１６が形成されており、その開口部１６から投写レンズ５１０のフォーカス調整、および倍率調整の操作を行うレバー５１１，５１２が露出している。また、上面１１Ａには、操作部１４が設けられている。操作部１４は、プロジェクタ１の各種設定を行うためのメニュー画像の表示／非表示を切り換えるメニューキー、入力ソースを切り換えるソース切換えキー等、各種指示を行うための複数のキー等を備えている。
【００２５】
図２に示すように、アッパーケース１１の背面１１Ｅには、側面１１Ｄ寄りにリアケース１３を取り付ける開口部２４が形成されている。
【００２６】
ロアーケース１２は、底面１２Ａ、側面１２Ｃ，１２Ｄおよび背面１２Ｅを有して構成される。底面１２Ａには、側面１２Ｃと背面１２Ｅに近接する隅部に、光源装置１１０（図３参照）を収納するための矩形状の開口部２１が形成されている。開口部２１には、開口部２１を覆うランプカバー２２が着脱自在に設けられている。
【００２７】
リアケース１３は、ロアーケース１２の背面１２Ｅの内側に形成された図示しない溝部に嵌め込み式で固定され、アッパーケース１１の開口部２４を塞ぐように取り付けられている。リアケース１３には、アッパーケース１１の上面１１Ａ寄りに略矩形状の凹部１３１が形成されており、凹部１３１には、複数の孔１３２が設けられている。この孔１３２から、外部の電子機器と接続するための複数の接続端子１３５が露出している。
【００２８】
ロアーケース１２の底面１２Ａには、側面１２Ｄと背面１２Ｅとに近接する隅部に、凹形状の第１の吸気口２３が形成されている。また、アッパーケース１１の背面１１Ｅの略中央部には、凹形状の第２の吸気口２５が形成されている。第１の吸気口２３および第２の吸気口２５には、それぞれ外気を取り入れる複数の孔が設けられており、本体は、この複数の孔から取り込まれた空気によって、冷却される。また、第１の吸気口２３および第２の吸気口２５には、それぞれ防塵フィルタ２６（図４参照）、２８（図３参照）が配置されている。防塵フィルタ２６，２８は、外気を通す孔が形成されたフィルタ枠２７，２９によってそれぞれロアーケース１２、アッパーケース１１に保持されている。また、アッパーケース１１の側面１１Ｃには、排気口１７が形成されており、光源の点灯に伴って上昇した筐体１０内の温まった空気は、この排気口１７から外部に排出される。
【００２９】
次に、プロジェクタ１の概略構成について説明する。
図３は、プロジェクタ１の概略構成を示す平面図であり、図４は、そのＡ−Ａ断面図、図５は、Ｂ−Ｂ断面図である。
図３に示すように、プロジェクタ１は、筐体１０と、略Ｌ字状の光学ユニット３０と、第１の吸気ファン４０と、排気ファン５０と、第２の吸気ファン６０と、制御基板７０とを有して構成されている。
【００３０】
光学ユニット３０は、光源１１１から射出された光束を画像信号に応じて変調して画像光を形成し、その画像光を拡大投写する。
第１の吸気ファン４０は、シロッコファンによって構成され、第１の吸気口２３（図２参照）の上方で、光学ユニット３０の下方に配置さている。第１の吸気ファン４０は、第１の吸気口２３から外気を吸気して光学ユニット３０を冷却する。
排気ファン５０は、軸流ファンによって構成され、アッパーケース１１の側面１１Ｃに設けられた排気口１７の内側に配置されている。排気ファン５０は、筐体１０内部の温まった空気を排気口１７から筐体１０の外に排気する。
【００３１】
第２の吸気ファン６０は、シロッコファンによって構成され、背面１１Ｅ側の略中央部、光源装置１１０近傍に配置されている。第２の吸気ファン６０は、外気を吸気して筐体１０内を冷却する。なお、後述するように、第２の吸気ファン６０は、筐体１０内の圧力に応じた速度で回転する。
【００３２】
制御基板７０は、アッパーケース１１の側面１１Ｄ寄りの光学ユニット３０の上方に配置されている（図３では、一部省略して示す）。制御基板７０は、制御部７１（図６参照）を有している。制御部７１は、ＣＰＵ（Central Processing Unit）やＲＯＭ（Read Only Memory），ＲＡＭ（Random Access Memory）等を備え、コンピュータとして機能するものであり、プロジェクタ１の動作、例えば、第１の吸気ファン４０、排気ファン５０、第２の吸気ファン６０の回転速度を制御する。
【００３３】
ここで、本体の各構成要素について詳細に説明する。
光学ユニット３０は、照明光学部１００と、色分離光学部２００と、リレー光学部３００と、光変調部である液晶ライトバルブ４００Ｒ，４００Ｇ，４００Ｂと、クロスダイクロイックプリズム４５０と、投写光学部５００とを備えている。
【００３４】
照明光学部１００は、光源装置１１０と、第１のレンズアレイ１２０と、第２のレンズアレイ１３０と、偏光変換素子１４０と、重畳レンズ１５０とを有している。
光源装置１１０は、光源１１１、リフレクタ１１２、光源１１１とリフレクタ１１２とを収容して固定する光源用筐体１１４、光束を射出するために光源用筐体１１４に設けられた開口部を覆う前面ガラス１１３等を備えて構成されている。
光源１１１から射出された放射状の光束は、リフレクタ１１２で反射されて略平行光束となり、前面ガラス１１３を透過して第１のレンズアレイ１２０へと射出される。本実施形態では、光源１１１として、超高圧水銀ランプを採用し、リフレクタ１１２として、放物面鏡を採用している。なお、光源１１１としては、超高圧水銀ランプに限らず、例えばメタルハライドランプ等を採用してもよい。また、リフレクタ１１２としては、放物面鏡に限らず、楕円面鏡からなるリフレクタの射出面に平行化凹レンズを配置した構成を採用してもよい。
【００３５】
光源１１１から射出された光束は、第１のレンズアレイ１２０によって複数の微小な部分光束に分割され、各部分光束は、第２のレンズアレイ１３０および重畳レンズ１５０によって照明対象である３つの液晶ライトバルブ４００Ｒ，４００Ｇ，４００Ｂの表面で重畳される。第１のレンズアレイ１２０および第２のレンズアレイ１３０は、小レンズをマトリクス状に配列して形成されている。
偏光変換素子１４０は、ランダム偏光の光束を３つの液晶ライトバルブ４００Ｒ，４００Ｇ，４００Ｂで利用可能な偏光方向を有する偏光光に揃える機能を有している。
【００３６】
色分離光学部２００は、照明光学部１００から射出された光束を、それぞれ異なる波長域の３色の光束に分離する機能を有している。第１のダイクロイックミラー２１０は、赤色光成分（以下「Ｒ光」という。）を反射させると共に、緑色光成分（以下「Ｇ光」という。）および青色光成分（以下「Ｂ光」という。）を透過する。第１のダイクロイックミラー２１０で反射したＲ光は、反射ミラー２３０で反射され、平行化レンズ２４０Ｒを透過してＲ光用の液晶ライトバルブ４００Ｒを照明する。平行化レンズ２４０Ｒは、照明光学部１００からの複数の部分光束を、それぞれ液晶ライトバルブ４００Ｒを照明するように集光する。通常、各部分光束が、それぞれ略平行な光束となるように設定されている。他の液晶ライトバルブ４００Ｇ，４００Ｂの前に配設された平行化レンズ２４０Ｇ，２４０Ｂも、平行化レンズ２４０Ｒと同様の機能を有している。
【００３７】
第２のダイクロイックミラー２２０は、Ｇ光を反射させると共に、Ｂ光を透過する。このため、第１のダイクロイックミラー２１０を透過したＧ光とＢ光のうちＧ光は、第２のダイクロイックミラー２２０によって反射され、平行化レンズ２４０Ｇを透過してＧ光用の液晶ライトバルブ４００Ｇを照明する。一方、Ｂ光は、第２のダイクロイックミラー２２０を透過し、リレー光学部３００を通過して、さらに平行化レンズ２４０Ｂを通って、Ｂ光用の液晶ライトバルブ４００Ｂを照明する。
【００３８】
リレー光学部３００は、入射側レンズ３１０、入射側反射ミラー３２０、リレーレンズ３３０および射出側反射ミラー３４０を有している。色分離光学部２００から射出されたＢ光は、入射側レンズ３１０によってリレーレンズ３３０近傍で収束し、平行化レンズ２４０Ｂ（射出側反射ミラー３４０）に向かって発散する。平行化レンズ２４０Ｂに入射する光束の大きさは、入射側レンズ３１０に入射する光束の大きさに略等しくなるように設定されている。このように、Ｂ光にリレー光学部３００が用いられているのは、Ｂ光の光路の長さが他の色光の光路長さよりも長いため、光の発散等による光の利用効率の低下を防止するためである。なお、リレー光学部３００は、３つの色光の中で、Ｂ光を通す構成としたが、これに限らず、例えば、Ｒ光を通す構成としてもよい。
【００３９】
液晶ライトバルブ４００Ｒ，４００Ｇ，４００Ｂは、それぞれ透過型の液晶パネルとその両面に配置された入射側偏光板、射出側偏光板を有して構成されている。液晶ライトバルブ４００Ｒ，４００Ｇ，４００Ｂは、それぞれの表面に入射した各色光を、それぞれに対応する画像信号に応じて変調し、各色光の画像光を形成してクロスダイクロイックプリズム４５０に射出する。
クロスダイクロイックプリズム４５０は、液晶ライトバルブ４００Ｒ，４００Ｇ，４００Ｂから射出された各色光の画像光を合成して、カラー画像を表す画像光を形成し、投写光学部５００に射出する。
投写光学部５００は、投写レンズ５１０を有し、クロスダイクロイックプリズム４５０からの画像光をスクリーン等に拡大投写する。
【００４０】
次に、各ファン（第１および第２の吸気ファン４０，６０、排気ファン５０）について詳細に説明する。
図４に示すように、第１の吸気ファン４０は、その空気導入口４１がロアーケース１２の第１の吸気口２３の内面と対向するように配置され、外気を空気導入口４１から吸気して（流れＦ１０）、空気排出口４２から吐出する（流れＦ１１）。第１の吸気口２３には、防塵フィルタ２６が配置されており、外気に混在する塵埃が筐体１０内部に侵入することを抑制する。第１の吸気ファン４０は、静圧が高いシロッコファンで構成されているので、第１の吸気口２３に防塵フィルタ２６が配置されていても外気を効率よく吸気することができる。
【００４１】
第１の吸気ファン４０の空気排出口４２側には、ダクト４５が配置されている。ダクト４５は、合成樹脂製であり、第１の吸気ファン４０の空気排出口４２から液晶ライトバルブ４００Ｒ，４００Ｇ，４００Ｂの下方にわたって形成されている。ダクト４５は、箱状をしており、その１つの側面には、開口部４５Ａが形成され、天面には、３つの孔４５Ｂ（図示は１つのみ）が形成されている。開口部４５Ａは、第１の吸気ファン４０の空気排出口４２を囲み、３つの孔４５Ｂは、それぞれ液晶ライトバルブ４００Ｒ，４００Ｇ，４００Ｂの下方に位置するように配置されている（図４において、液晶ライトバルブ４００Ｒ，４００Ｂは図示せず）。そして、空気排出口４２から吐出される空気（流れＦ１１）は、ダクト４５によって案内されて、孔４５Ｂから排出され（流れＦ１２）、液晶ライトバルブ４００Ｒ，４００Ｇ，４００Ｂを冷却して上方に流れる（流れＦ１３）。
【００４２】
クロスダイクロイックプリズム４５０の上面には、取付部材を介して第１の検出部８０が取り付けられている。第１の検出部８０は、サーミスタ等の感温素子であり、液晶ライトバルブ４００Ｒ，４００Ｇ，４００Ｂ近傍の温度を検出する。
【００４３】
図３に戻って、排気ファン５０は、液晶ライトバルブ４００Ｒ，４００Ｇ，４００Ｂの冷却に伴い温まった空気（流れＦ２１）、光源１１１の発する熱により温まった空気（流れＦ２２）等の内部の空気を筐体１０の外部に排気する（流れＦ２３）。排気ファン５０は、シロッコファンに比べて風量が多い軸流ファンで構成されているので、効率良く排気することができる。
【００４４】
光源用筐体１１４の排気ファン５０寄りの面には、第２の検出部９０が取り付けられている。第２の検出部９０は、第１の検出部８０と同様にサーミスタ等の感温素子であり、光源１１１近傍の温度を検出する。
【００４５】
図３に示すように、第２の吸気ファン６０は、その空気導入口６１がアッパーケース１１の第２の吸気口２５の内面と対向するように配置されている。第２の吸気ファン６０は、外気を空気導入口６１から吸気して（流れＦ３０）、空気排出口６２から吐出する（流れＦ３１）。第２の吸気口２５には、防塵フィルタ２８が配置され、防塵フィルタ２８は、外気に混在する塵埃が内部に侵入することを抑制する。
【００４６】
図５に示すように、第２の吸気ファン６０の空気排出口６２は、斜め上方を向いており、吸気した外気を光源１１１上方のアッパーケース１１の内面に吐出する（流れＦ３１）。この部位は、光源１１１が近いため、他の部位より高温になっている。この部位を冷却することによって、上面１１Ａが高温になることを抑制することができる。そして、使用者が上面１１Ａに触れても不快感を与えないようにすることが可能となる。
【００４７】
ここで、各ファンの制御について説明する。
図６は、各ファンの回転速度を制御する制御系のブロック図である。
図６に示すように、第１の検出部８０、第２の検出部９０、第１の吸気ファン４０、排気ファン５０および第２の吸気ファン６０は、それぞれ制御基板７０と接続されている。制御基板７０は、制御部７１と、Ａ／Ｄ変換部７２，７５と、Ｄ／Ａ変換部７３，７６，７８と、ドライバ７４，７７，７９とを有している。
【００４８】
第１の検出部８０は、液晶ライトバルブ４００Ｒ，４００Ｇ，４００Ｂ近傍の温度を検出し、その検出結果に応じた検出信号を出力する。第１の検出部８０から出力された検出信号は、Ａ／Ｄ変換部７２を介して制御部７１に入力する。
制御部７１は、入力した検出信号に基づいた制御信号（第１の制御信号ＳＯ１）を生成し、これをドライバ７４に出力して、第１の吸気ファン４０の回転速度を制御する。具体的には、制御部７１は、適当な間隔で第１の検出部８０から検出信号を取得し、その検出した温度と、予め設定されている所定の温度とを比較する。そして、検出した温度が所定の温度を上回っているときには、第１の吸気ファン４０の回転速度が速くなるような第１の制御信号ＳＯ１を生成し、検出した温度が所定の温度を下回っているときには、第１の吸気ファン４０の回転速度が遅くなるような第１の制御信号ＳＯ１を生成する。そして、制御部７１は、生成した第１の制御信号ＳＯ１をＤ／Ａ変換部７３を介してドライバ７４に出力する。ドライバ７４は、第１の制御信号ＳＯ１に応じた回転速度となる電圧Ｖ１を第１の吸気ファン４０に印加して駆動する。
このように、制御部７１は、第１の検出部８０で検出された検出結果に基づいて、第１の吸気ファン４０の回転速度を制御する。
【００４９】
第２の検出部９０は、光源１１１近傍の温度を検出し、その検出結果に応じた検出信号を出力する。第２の検出部９０から出力された検出信号は、Ａ／Ｄ変換部７５を介して制御部７１に入力する。
制御部７１は、入力した検出信号に基づいた制御信号（第２の制御信号ＳＯ２）を生成し、これをドライバ７７に出力して、排気ファン５０の回転速度を制御する。具体的には、制御部７１は、適当な間隔で第２の検出部９０から検出信号を取得し、その検出した温度と、予め設定されている所定の温度とを比較する。そして、検出した温度が所定の温度を上回っているときには、排気ファン５０の回転速度が速くなるような第２の制御信号ＳＯ２を生成し、検出した温度が所定の温度を下回っているときには、排気ファン５０の回転速度が遅くなるような第２の制御信号ＳＯ２を生成する。そして、制御部７１は、生成した第２の制御信号ＳＯ２をＤ／Ａ変換部７６を介してドライバ７７に出力する。ドライバ７７は、第２の制御信号ＳＯ２に応じた回転速度となる電圧Ｖ２を排気ファン５０に印加して駆動する。
このように、制御部７１は、第２の検出部９０で検出された検出結果に基づいて、排気ファン５０の回転速度を制御する。
【００５０】
また、制御部７１は、第１の制御信号ＳＯ１および第２の制御信号ＳＯ２に基づく第３の制御信号ＳＯ３を生成し、これをドライバ７９に出力して、第２の吸気ファン６０の回転速度を制御する。ドライバ７９は、第３の制御信号ＳＯ３に基づいて、第２の吸気ファン６０に、低速および高速の２段階の回転速度となる電圧Ｖ３を印加して駆動する。
ここで、各ファンの風量、即ち、第１の吸気ファン４０の吸気量、排気ファン５０の排気量、第２の吸気ファン６０の吸気量は、ファンの性能と回転速度によって定まる。各ファンの性能は、既知であるため、各ファンの吸気量、排気量は、その回転速度から導出することができる。また、第２の吸気ファン６０の吸気量は、回転速度の設定が２段階としてあるため、吸気量も２段階に変化する。
【００５１】
制御部７１は、次のように、第２の吸気ファン６０の回転速度を低速および高速で制御する。第２の吸気ファン６０を低速で回転させている際の回転速度の制御方法について説明する。
制御部７１は、第１の吸気ファン４０の吸気量をファンの回転速度（電圧Ｖ１）に基づいて認識し、排気ファン５０の排気量をファンの回転速度（電圧Ｖ２）に基づいて認識する。さらに、制御部７１は、第１の吸気ファン４０の吸気量に第２の吸気ファン６０の吸気量を加えた量、即ち第２の吸気ファン６０を回転させている際の総吸気量（低速時総吸気量）を算出する。そして、制御部７１は、排気ファン５０の排気量から総吸気量を減じた値（流出値）を導出する。この結果、流出値が０以下の場合、即ち排気量が総吸気量より下回って、筐体１０内の気圧が外部より高い場合には、制御部７１は、第２の吸気ファン６０を低速回転で維持する。一方、流出値が０より大きい場合、即ち排気量が総吸気量を上回って、筐体１０内の気圧が外部より低い場合には、制御部７１は、第２の吸気ファン６０を高速回転させる。
【００５２】
一方、制御部７１は、第２の吸気ファン６０を高速で回転させている際にも、低速時総吸気量を算出し、流出値を導出する。この結果、流出値が０より大きい場合には、制御部７１は、第２の吸気ファン６０を高速回転で維持し、流出値が０以下の場合には、制御部７１は、第２の吸気ファン６０を低速回転させる。
【００５３】
このように、制御部７１は、各ファンの回転速度に基づいて、筐体１０外に排気される排気量と、筐体１０内に吸気される総吸気量とを比較する。そして、排気量が総吸気量を上回ったとき、すなわち筐体１０内の圧力が低下したときに、制御部７１は、第２の吸気ファン６０の回転速度を上げて、筐体１０内に取り入れる吸気量を増やす。このことによって、筐体１０内の圧力が低下することが抑制されて、筐体１０の隙間、例えば図１，２に示すようにアッパーケース１１の開口部１５，１６の隙間、背面１１Ｅの孔１３２等から外気が侵入することが抑制される。
【００５４】
以上説明したように、本実施形態のプロジェクタ１によれば、以下の効果を得ることができる。
（１）本実施形態のプロジェクタ１によれば、排気ファン５０によって筐体１０の外に排気される排気量が、第１の吸気ファン４０および第２の吸気ファン６０によって筐体１０内に取り入れられる総吸気量を上回る場合に、制御部７１は、第２の吸気ファン６０の回転速度を上げて吸気量を増やす。これによって、筐体１０内の圧力が低下することを抑制することが可能となり、筐体１０の隙間から外気に混在する塵埃が筐体１０内に侵入することを抑制することができる。よって、投写画像の画質の劣化を抑制することが可能となり、製品の長寿命化を図ることができる。
【００５５】
（２）本実施形態のプロジェクタ１によれば、第２の吸気ファン６０を備えることによって、常に吸気量が排気量を上回るような大型のファンを第１の吸気ファン４０として使用しなくとも、筐体１０内の圧力が低下することを抑制することができるので、プロジェクタのサイズを大きくすることなく塵埃の侵入を抑制することができる。
【００５６】
（３）本実施形態のプロジェクタ１によれば、制御部７１は、各ファンの回転速度に基づいて、排気量および総吸気量を導出しているので、新たに風量センサ等を備える必要がない。
【００５７】
（４）本実施形態のプロジェクタ１によれば、第１の吸気ファン４０が外気を取り入れる第１の吸気口２３には、防塵フィルタ２６が配置されているので、外気に混在する塵埃の侵入を抑制することができる。
【００５８】
（５）本実施形態のプロジェクタ１によれば、第１の吸気ファン４０は、静圧が高いシロッコファンで構成されているので、第１の吸気口２３に防塵フィルタ２６が配置されていても、外気を効率よく吸気して液晶ライトバルブ４００Ｒ，４００Ｇ，４００Ｂを冷却することができる。
【００５９】
（６）本実施形態のプロジェクタ１によれば、排気ファン５０は、シロッコファンより風量が多い軸流ファンで構成されているので、液晶ライトバルブ４００Ｒ，４００Ｇ，４００Ｂの冷却に伴い温まった空気、光源１１１の発する熱により温まった空気等の内部の空気を効率良く筐体１０外に排気することができる。
【００６０】
（７）本実施形態のプロジェクタ１によれば、第２の吸気ファン６０は、筐体１０内に吸気した空気によって、筐体１０内の圧力が低下することを抑制すると共に、光源１１１の上部のアッパーケース１１の内面を冷却するため、取り入れた空気を効率良く利用することができる。
【００６１】
（８）本実施形態のプロジェクタ１によれば、第１の吸気ファン４０が外気を取り入れる第１の吸気口２３と、第２の吸気ファン６０が外気を取り入れる第２の吸気口２５とは、離れた位置に形成されているので、第１の吸気ファン４０および第２の吸気ファン６０を筐体１０内に配置する自由度が増える。
【００６２】
なお、本発明の実施形態は、以下のように変更してもよい。
（変形例１）
前記実施形態の制御部７１は、第２の吸気ファン６０の回転速度を、低速および高速の２段階で制御しているが、第２の吸気ファン６０の回転をＯＮとＯＦＦの２段階で制御してもよい。つまり、筐体１０外に排気される排気量が、筐体１０内に吸気する総吸気量を上回ったときに、制御部７１は、第２の吸気ファン６０を所定の速度で回転させ、それ以外のときには、回転を停止するようにしてもよい。また、第２の吸気ファン６０の回転速度を、３段階以上の回転速度で制御する態様とし、例えば、筐体１０内の気圧が外部より常に高くなるように細かな制御を行うようにしてもよい。
【００６３】
（変形例２）
前記実施形態の制御部７１は、排気量から総吸気量を減じた値（流出値）を０と比較して、０より大きい場合に、第２の吸気ファン６０を高速回転させているが、塵埃の侵入を防げる程度に筐体１０内の気圧が僅かに外部より低い場合には、流出値を正の値と比較して、これより大きい場合に、第２の吸気ファン６０を高速回転させるようにしてもよい。また、より確実に塵埃の侵入を防ぐために、各ファンの性能のバラツキ等を加味して、流出値を負の値と比較して、これより大きい場合に、第２の吸気ファン６０を高速回転させるようにすることもできる。
【００６４】
（変形例３）
前記実施形態の第１の吸気ファン４０は、１個で構成されているが、１個に限らず、複数であってもよい。また、第１の吸気ファン４０は、光変調部を冷却するファンに加えて、他の光学部品、電力を供給するための電源部、光源を点灯するための光源駆動回路等を冷却するファンを備える態様であってもよい。
【００６５】
（変形例４）
前記実施形態の排気ファン５０は、１個に限らず、複数であってもよい。また、排気ファン５０は、光変調部の冷却に伴い温まった空気、光源１１１の発する熱により温まった空気等の内部の空気を排気するファンに加えて、電力を供給するための電源部、光源を点灯するための光源駆動回路等の発する熱により温まった空気を排気するファンを備える態様であってもよい。
【００６６】
（変形例５）
前記実施形態では、制御部７１は、液晶ライトバルブ４００Ｒ，４００Ｇ，４００Ｂ近傍の温度、および光源１１１近傍の温度に基づいて、各ファンの回転速度を制御しているが、この位置に限定されるものではなく、第１の検出部８０および第２の検出部９０が他の位置に配置され、その位置の検出結果に基づいて制御してもよい。また、検出部は１つとしても、３つ以上としてもよい。
【００６７】
（変形例６）
前記実施形態の第２の吸気ファン６０は、吸気した空気によって、光源１１１上方のアッパーケース１１の内面を冷却しているが、アッパーケース１１以外の、光学部品等や電力を供給するための電源部、光源を点灯するための光源駆動回路等を冷却してもよい。また、特定の冷却対象を冷却していなくても、筐体内部へ空気を送り込む構成となっていればよい。
【００６８】
（変形例７）
前記実施形態の第１の吸気口２３と第２の吸気口２５とは、離隔して形成され、第１の吸気口２３および第２の吸気口２５には、それぞれ個別の防塵フィルタ２６，２８が配置されているが、第１の吸気口２３と第２の吸気口２５とが近接して形成され、一体の防塵フィルタに覆われていてもよい。
【００６９】
この態様について、図７を用いて説明する。
図７は、プロジェクタ１の背面側の部位を後方から見た断面図である。
図７に示すように、第１の吸気ファン４０および第２の吸気ファン６０は、シロッコファンで構成され、それぞれのシロッコファンは、空気導入口４１，６１が筐体１０の内側（天面方向）を向くように取り付けられている。ロアーケース１２には、２つのシロッコファンの間に、第１の吸気口２３と第２の吸気口２５とが近接して設けられている。また、第１の吸気口２３と第２の吸気口２５とは、一体の防塵フィルタ１２８によって覆われている。防塵フィルタ１２８は、外気を通す孔が形成されたフィルタ枠１２９によってロアーケース１２に保持されている。
【００７０】
第１の吸気ファン４０の上方には、第１の吸気口２３と第１の吸気ファン４０とを覆うようにダクト４６が配置されている。また，第２の吸気ファン６０の上方には、第２の吸気口２５と第２の吸気ファン６０とを覆うようにダクト４７が配置されている。第１の吸気ファン４０は、第１の吸気口２３から外気を吸気し（流れＦ４０〜Ｆ４１〜Ｆ４２）、空気排出口４２から吐出して、液晶ライトバルブ４００Ｒ，４００Ｇ，４００Ｂを冷却する。第２の吸気ファン６０は、第２の吸気口２５から外気を吸気して、空気排出口６２から筐体１０内に吐出する（流れＦ４０〜Ｆ４４〜Ｆ４５〜Ｆ４６）。
【００７１】
このように、第１の吸気口２３と第２の吸気口２５とが近接して形成されているので、一体の防塵フィルタ１２８で第１の吸気口２３と第２の吸気口２５とを覆うことができる。これによって、第１と第２の吸気口とにそれぞれ防塵フィルタを配置する必要がないので、少ない部品点数でプロジェクタ１を構成することができると共に、防塵フィルタを交換する際の作業性が向上する。
【００７２】
（変形例８）
前記実施形態では、光変調部として透過型の液晶ライトバルブ４００Ｒ，４００Ｇ，４００Ｂを用いているが、反射型の液晶ライトバルブを利用したものや、マイクロミラーを用いたデバイス等を使用したものであってもよい。
【図面の簡単な説明】
【００７３】
【図１】本実施形態のプロジェクタの上方前面側から見た斜視図。
【図２】本実施形態のプロジェクタの下方背面側から見た斜視図。
【図３】本実施形態のプロジェクタの概略構成を示す平面図。
【図４】図３におけるＡ−Ａ断面図。
【図５】図３におけるＢ−Ｂ断面図。
【図６】各ファンの回転速度を制御する制御系のブロック図。
【図７】変形例のプロジェクタ背面側の断面図。
【符号の説明】
【００７４】
１…プロジェクタ、１０…筐体、１１…アッパーケース、１２…ロアーケース、１３…リアケース、１５，１６…開口部、１７…排気口、２３…第１の吸気口、２５…第２の吸気口、２６，２８，１２８…防塵フィルタ、３０…光学ユニット、４０…第１の吸気ファン、４１…空気導入口、４２…空気排出口、４５，４６，４７…ダクト、５０…排気ファン、６０…第２の吸気ファン、６１…空気導入口、６２…空気排出口、７０…制御基板、７１…制御部、７２，７５…Ａ／Ｄ変換部、７３，７６，７８…Ｄ／Ａ変換部、７４，７７，７９…ドライバ、８０…第１の検出部、９０…第２の検出部、１１１…光源、４００Ｒ，４００Ｇ，４００Ｂ…液晶ライトバルブ、４５０…クロスダイクロイックプリズム、５００…投写光学部、５１０…投写レンズ、ＳＯ１…第１の制御信号、ＳＯ２…第２の制御信号、ＳＯ３…第３の制御信号。
【図１】
2008286824.tif 000003
【図２】
2008286824.tif 000004
【図３】
2008286824.tif 000005
【図４】
2008286824.tif 000006
【図５】
2008286824.tif 000007
【図６】
2008286824.tif 000008
【図７】
2008286824.tif 000009